(57)【要約】【課題】ピット内の浸水を検出することができるとともに、虫や小動物による浸水の誤検出を抑制できるエレベータ装置を提供すること。【解決手段】エレベータ装置は、かご５と、水検出手段８と、判断手段１２とを具備する。かご５は、昇降路１内を昇降する。水検出手段８は、かご５の下に設けられ、水を検出するための検出面９を有し、検出面９が昇降路１のピット床面１１に向き合っている。判断手段１２は、水検出手段８の検出結果に基づき、ピット床面１１の浸水の有無を判断する。【選択図】      図１
2012056708.tif 000002
【特許請求の範囲】
【請求項１】
昇降路内を昇降するかごと、
前記かごの下に設けられ、水を検出するための検出面を有し、前記検出面が前記昇降路のピット床面に向き合っている水検出手段と、
前記水検出手段の検出結果に基づき、前記ピット床面の浸水の有無を判断するための判断手段と
を具備してなることを特徴とするエレベータ装置。
【請求項２】
前記判断手段は、前記かごが最下階にある時に、前記ピット床面の浸水の有無を判断することを特徴する請求項１に記載のエレベータ装置。
【請求項３】
前記かごが最下階にある時に、前記ピット床面と前記検出面との間が所定距離になるように、前記検出手段は距離調整部材によって前記かごの下に取り付けられていることを特徴とする請求項１に記載のエレベータ装置。
【請求項４】
昇降路内を昇降するかごと、
前記昇降路内を昇降するとともに前記かごにロープを介して連結されたカウンターウェートと、
前記カウンターウェートの下に設けられ、水を検出するための検出面を有し、前記検出面が前記昇降路のピット床面に向き合っている水検出手段と、
前記水検出手段の検出結果に基づき、前記ピット床面の浸水の有無を判断するための判断手段と
を具備してなることを特徴とするエレベータ装置。
【請求項５】
前記判断手段は、前記カウンターウェートが最下階にある時に、前記ピット床面の浸水の有無を判断することを特徴する請求項４に記載のエレベータ装置。
【請求項６】
前記判断手段は、前記カウンターウェートが最下階にあり、前記乗りかごが最上階にある時に、前記ピット床面の浸水の有無を判断し、前記ピット床面の浸水がある判断した場合、前記最上階から前記乗りかごを一定距離だけ降下した後に、さらに、前記ピット床面の浸水の有無を判断することを特徴する請求項４に記載のエレベータ装置。
【請求項７】
前記最上階から前記乗りかごを一定距離だけ降下した後に、さらに、前記ピット床面の浸水の有無を判断することは、前記ピット床面の浸水がないと判断されるまで繰り返されることを特徴とする請求項６に記載のエレベータ装置。
【請求項８】
前記カウンターウェートが最下階にある時に、前記ピット床面と前記検出面との間が所定距離になるように、前記検出手段は距離調整部材によって前記カウンターウェートの下に取り付けられていることを特徴とする請求項４に記載のエレベータ装置。
【請求項９】
前記水検出手段は、静電容量型センサを含むことを特徴とする請求項１ないし８のいずれか１項に記載のエレベータ装置。
【発明の詳細な説明】
【技術分野】
【０００１】
本発明の実施形態は、ピット内の浸水を検出することができるエレベータ装置に関する。
【背景技術】
【０００２】
エレベータは、人員や貨物を運ぶための乗りかごを備えている。乗りかごは、建物内の一部に設けられた昇降路内を昇降する。昇降路の最下部にはピットがある。
【０００３】
ピットは、大雨や乗り場清掃の際に、浸水する可能性がある。ピットが浸水すると、乗りかごに取り付けられている電気機器が故障し、電気系統に支障が生じて、乗りかごが停止する恐れがある。
【０００４】
そこで、ピット内に浸水検出器を設置し、ピット床面から一定水位以上の浸水が検出された場合、エレベータの運転を休止したり、もしくは、最下階を除いた階床でエレベータの運転を行う。
【０００５】
浸水検出の方式の一つとして、静電容量型センサを用いる方式がある。これは、静電容量型センサの検出面と接地面との間に水が存在すると、静電容量が変化することを利用して、検出面まで浸水があるかを検出する方式である。静電容量型センサは、その検出面がピット床面から一定の高さになるように、ピット内に設置される。
【先行技術文献】
【特許文献】
【０００６】
【特許文献１】特開２００７−８４１６７号公報
【発明の概要】
【発明が解決しようとする課題】
【０００７】
しかしながら、ピット内に静電容量型センサを設置すると、ピット床面には静電容量型センサの影が映り、その結果として、静電容量型センサとピット床面との間には暗いスペースが生じる。このスペースは、虫（例えば、カマドウマ、蜘蛛、ゴキブリ）や、小動物（例えば、なずみ）が居座る場所となる。
【０００８】
上記スペース内に虫や小動物が居座ると、虫や小動物には液体があるため、静電容量型センサの誤検出が誘発されるリスクがある。その結果、浸水でもないのに浸水だと判断され、通常運転が行われることがある。
【０００９】
したがって、ピット内の浸水を検出することができるとともに、虫や小動物による浸水の誤検出を抑制できるエレベータ装置が求められる。
【課題を解決するための手段】
【００１０】
実施形態のエレベータ装置は、かごと、水検出手段と、判断手段とを具備する。前記かごは、昇降路内を昇降する。前記水検出手段は、前記かごの下に設けられ、水を検出するための検出面を有し、前記検出面が前記昇降路のピット床面に向き合っている。前記判断手段は、前記水検出手段の検出結果に基づき、前記ピット床面の浸水の有無を判断する。
【００１１】
他の実施形態のエレベータ装置は、かごと、カウンターウェートと、水検出手段と、判断手段とを具備する。前記かごは、昇降路内を昇降する。前記カウンターウェートは、前記昇降路内を昇降するとともに前記かごにロープを介して連結されている。前記水検出手段は、前記カウンターウェートの下に設けられ、水を検出するための検出面を有し、前記検出面が前記昇降路のピット床面に向き合っている。前記判断手段は、前記水検出手段の検出結果に基づき、前記ピット床面の浸水の有無を判断する。
【図面の簡単な説明】
【００１２】
【図１】第１の実施形態に係るエレベータ装置を示す概略構成図である。
【図２】かご下ブラケットを用いない時の水検出センサを説明するための図である。
【図３】第２の実施形態に係るエレベータ装置を示す概略構成図である。
【図４】第２の実施形態に係るエレベータ装置における浸水高さの調査方法を説明するためのフローチャートである。
【発明を実施するための形態】
【００１３】
以下、図面を参照しながら実施形態を説明する。
【００１４】
（第１の実施形態）
図１は、第１の実施形態に係るエレベータ装置を示す概略構成図である。
【００１５】
図中、１は建物に設置された昇降路を示しており、昇降路１の各階床には乗り場２が設けられている。図１には、簡単のため、最下階の乗り場、それよりも一つ上の階の乗り場、最上階の乗り場、および、それよりも一つ下の階の乗り場（四つの乗り場２）のみを示してある。乗り場２の数は図１の例に限定されない。
【００１６】
昇降路１内には巻上機３が設けられている。巻上機３にはロープ４が巻き付けられている。ロープ４の一端は乗りかご５に連結されている。ロープ４の他端はカウンターウェート６に連結されている。昇降路１内において、乗りかご５とカウンターウェート６が吊り下がるように、ロープ４は巻上機３に巻き付けられている。巻上機３によりロープ４が駆動されると、乗りかご５とカウンターウェート６は、昇降路１内で互いに逆方向に昇降するようになっている（つるべ式）。
【００１７】
乗りかご５の下にはブラケット（かご下ブラケット）７が取り付けられている。かご下ブラケット７には、水検出センサ８が設けられている。水検出センサ８は、かご下ブラケット７を介して、乗りかご５の下に設けられている。
【００１８】
かご下ブラケット７は、例えば、ステンレス等の錆びにくい材料で形成された板を曲げてなる板状部材であり、ネジによって乗りかご１の下面に固定されている。水検出センサ８は、例えば、かご下ブラケット７に脱着可能に取り付けられている。したがって、水検出センサ８が故障または劣化した場合、新しい水検出センサと容易に取り換えることができる。
【００１９】
水検出センサ８は、水を検出するための検出面９を有している。検出面９は、昇降路１のピット１０の床面（ピット床面）１１に向き合っている。水検出センサ８は、例えば、静電容量型センサである。ピット１０内にたまる水の量（水位）によって、静電容量型センサの出力（計測値）は変わるので、その出力（計測値）から浸水の有無は判断できる。乗りかご５が最下階にある時に、水検出センサ８により水位は計測される。
【００２０】
水検出センサ８の検出面９とピット床面１１との間の距離Ｌは、かご下ブラケット７によって調整できる。本実施形態では、図１に示すように、乗りかご５が最下階の時に、距離Ｌが水位監視距離となるように、かご下ブラケット７の寸法（高さ）は選ばれている。
【００２１】
かご下ブラケット７は、検出面９とピット床面１１との間の距離Ｌを、所定距離（ここでは、水位監視距離）とするための部材である。距離Ｌを所定距離とすることができれば、かご下ブラケット７はなくても構わない。例えば、図２に示すように、垂直方向の寸法が長い水検出センサ８ａを用いることにより、距離Ｌ＝所定距離Ｌ０となる場合、かご下ブラケットは不要である。
【００２２】
ピット１０内には、水検出センサ８にて取得された計測データ（検出結果）に基づき、ピット床面１１の浸水の有無を判断するための判断装置１２が設けられている。水検出センサ８から判断装置１２への計測データの伝送は、無線および有線のいずれの方式でも構わない。
【００２３】
判断装置１２はピット１０以外の場所に設けても構わない。例えば、昇降路１内の上部に設けても構わない。建屋の屋上に機械室がある場合には、その機械室内に設けても構わない。判断装置１２の判断結果は、エレベータの速度や運行管理など、さまざまな制御をつかさどる制御盤（不図示）に送られる。制御盤が判断装置１２の役割を果たしても構わない。制御盤は、昇降路１内の上部（マシンルームレスタイプのエレベータ）、または、建屋の屋上に機械室（一般のエレベータ）に設けられている。
【００２４】
ピット１０内には、さらに、かごバッファ１３も設けられている。かごバッファ１３は、かご下ブラケット７および水検出センサ８には接触しない。かごバッファ１３は周知の構造物であり、その位置の変更は困難である。したがって、かご下ブラケット７および水検出センサ８の取り付け位置を調整することで、かごバッファ１３が、かご下ブラケット７および水検出センサ８に接触することを避ける。
【００２５】
本実施形態の場合、水検出センサ８は乗りかご５に設置されている。乗りかご５の昇降に伴い、水検出センサ８も昇降する。乗りかご５がある一定以上の高さにある場合、ピット床面１１には水検出センサ８の影は映らない。ピット床面１１に影ができる位置に水検出センサ８は固定されない。したがって、ピット床面１１にできた影に、虫や小動物が居座ることが原因で生じる、浸水の誤検出を抑制できる。
【００２６】
かくして本実施形態によれば、乗りかご５下に水検出センサ８を設けることにより、ピット１０内の浸水を検出することができるとともに、虫や小動物による浸水の誤検出を抑制できるエレベータ装置を提供できるようになる。
【００２７】
本実施形態は、カウンターウェートがないエレベータにも適用できる。
【００２８】
（第２の実施形態）
図３は、第２の実施形態に係るエレベータ装置を示す概略構成図である。なお、以下の図において、既出の図と対応する部分には既出の図と同一符号を付してあり、詳細な説明は省略する。
【００２９】
本実施形態が第１の実施形態と異なる点は、カウンターウェート６の下に水検出センサ８が設けられていることにある。カウンターウェート６の下にはブラケット（カウンターウェート下ブラケット）７ａが設けられている。水検出センサ８は、カウンターウェート下ブラケット７ａを介して、カウンターウェート６の下に設けられている。
【００３０】
カウンターウェート下ブラケット７ａは、例えば、ステンレス等の錆びにくい材料で形成された板を曲げてなる板状部材であり、ネジによってカウンターウェート６の下面に固定されている。水検出センサ８は、例えば、カウンターウェート下ブラケット７ａに脱着可能に取り付けられている。したがって、水検出センサ８が故障または劣化した場合、新しい水検出センサと容易に取り換えることができる。
【００３１】
カウンターウェート下ブラケット７ａは、距離Ｌを所定距離（ここでは、水位監視距離）とするための部材である。距離Ｌを所定距離とすることができれば、カウンターウェート下ブラケット７ａはなくても構わない。例えば、かご下ブラケット７の場合と同様（図２）に、垂直方向の寸法が長い水検出センサを用いることにより、距離Ｌを所定距離に設定できるのであれば、カウンターウェート下ブラケット７ａは不要である。
【００３２】
ピット１０内には、さらに、カウンターウェートバッファ１３ａも設けられている。カウンターウェートバッファ１３ａは、カウンターウェート下ブラケット７ａおよび水検出センサ８には接触しない。カウンターウェートバッファ１３ａは周知の構造物であり、その位置の変更は困難である。したがって、カウンターウェート下ブラケット７ａおよび水検出センサ８の取り付け位置を調整することで、カウンターウェートバッファ１３ａが、カウンターウェート下ブラケット７ａおよび水検出センサ８に接触することを避ける。
【００３３】
本実施形態の場合、水検出センサ８はカウンターウェート６に設置されている。カウンターウェート６の昇降に伴い、水検出センサ８も昇降する。カウンターウェート６がある一定以上の高さにある場合、ピット床面１１には水検出センサ８の影は映らない。ピット床面１１に影ができる位置に水検出センサ８は固定されない。したがって、ピット床面１１にできた影に、虫や小動物が居座ることが原因で生じる、浸水の誤検出を抑制できる。
【００３４】
かくして本実施形態によれば、カウンターウェート６下に水検出センサ８を設けることにより、ピット１０内の浸水を検出することができるとともに、虫や小動物による浸水の誤検出を抑制できるエレベータ装置を提供できるようになる。
【００３５】
本実施形態の場合、カウンターウェート６が最下階にある時に、言い換えれば、乗りかご５が最上下階にある時に、水検出センサ８により水位が計測される。ただし、次に説明するように、浸水高さの調査を行う場合には、その限りではない。
【００３６】
図４は、本実施形態のエレベータ装置における浸水高さの調査方法を説明するためのフローチャートである。
【００３７】
［ステップＳ１］
通常運転中に、乗りかご５が最上フロアレベルにある時に、判断装置１２は、水検出センサ８にて取得された計測データに基づき、ピット床面１１の浸水の有無を判断する。
【００３８】
浸水なしとの判断（Ｎｏ）がなされた場合、通常運転は続けられ、調査は終了する。調査の履歴には、例えば、浸水なしとの情報が調査した日付・時間とともに追加される。調査の履歴は、例えば、判断装置１２または図示せぬ制御盤に保存される。
【００３９】
［ステップＳ２］
ステップＳ１において、浸水ありとの判断（Ｙｅｓ）がなされた場合、最上階にある乗りかご５のドアが開くとともに、乗りかご５内の乗客を降ろすための指示が、音声、表示またはこれらの併用により行われる。その後、最上階にある乗りかご５のドアは閉じられる。これらの動作（ドアの開閉、避難指示）は、例えば、制御盤による制御によって行われる。
【００４０】
［ステップＳ３］
乗りかご５を予め定めた一定距離（降下距離）だけ降下させる。カウンターウェート６は降下距離（ΔＬ）の分だけ上昇する。したがって、水検出センサ８（検出面９）とピット床面１１との間の距離Ｌは、Ｌ０＋ΔＬとなる。
【００４１】
［ステップＳ４］
判断装置１２は、水検出センサ８にて取得された計測データに基づき、ピット床面１１の浸水の有無を判断する。すなわち、浸水高さが、Ｌ０＋ΔＬに達しているか否か判断する。
【００４２】
ここで、降下距離（ΔＬ）の目安について説明する。ステップＳ４は、台風などの大雨によりピット１０へ流水が発生したような場合、浸水がピット床面１１からどの高さまであるかの概略値を調査する目的で行われる。大雨の場合、浸水高さは急減に変動する。したがって、降下距離は、数ｍｍという小さい値ではなく、１００ｍｍ前後という比較的大きな値に設定する。
【００４３】
［ステップＳ５］
ステップＳ４において、浸水ありとの判断（Ｙｅｓ）がなされた場合、所定フロアレベルよりも上に乗りかご５があるか否かを判断する。ここでは、所定フロアレベルは、最上階よりも一つ下の階床とする。
【００４４】
ステップＳ５において、所定フロアレベルよりも上に乗りかご５があると判断された場合（ＹＥＳ）、ステップＳ３に戻る。ステップＳ５においてＮｏと判断するまで、ステップＳ３−ステップＳ５は繰り返される。
【００４５】
一方、ステップＳ５においてＮｏと判断された場合、つまり、ピット浸水がある判断されている時に、乗りかご５が所定フロアレベル以下であると判断された場合、調査は終了する。
【００４６】
乗りかご５が所定フロアレベル以下であることは、カウンターウェート６に取り付けられた水検出センサ５は、ピット床面１１から一定以上の距離を隔てた高さにあることを意味する。そのため、ピット１０内には、一定以上の浸水、例えば、数メートル以上の浸水があるか、もしくは、水検出センサ５の検出結果に誤り（誤検出）があると考えられる。この場合、作業員によるピット１０内の水の排除や水検出センサ５の点検が必要となるので、上記の通り、ステップＳ５においてＮｏと判断された場合、調査は終了する。
【００４７】
本実施形態の場合、浸水を検出した段階で、乗りかご５はピット１０から離れた階床にあるために、乗りかご５を例えば最上階に移動させる必要はない。
【００４８】
［ステップＳ６］
ステップＳ４において、浸水なしとの判断（Ｎｏ）がなされた場合、調査結果として、例えば、浸水が検出された乗りかご５の位置の情報が、調査した日付・時間とともに記録される。この調査結果は、調査履歴に追加される。調査履歴は、例えば、判断装置１２または制御盤に保存される。
【００４９】
本実施形態によれば、ピット床面１１に浸水がある場合、最上フロアレベルにある乗りかご５を徐々に下げて浸水高さを調査することにより、浸水高さの調査記録を記録したり、監視センタへ浸水高さの情報を転送することができるので、浸水の保守作業を容易に行えるエレベータ装置を提供できるようになる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…昇降路、２…乗り場、３…巻上機、４…ロープ、５…乗りかご（かご）、６…カウンターウェート、７，７ａ…ブラケット（距離調整部材）、８，８ａ…水検出センサ（水検出手段）、９…検出面、１０…ピット、１１…ピット床面、１２…判断装置（判断手段）、１３…かごバッファ、１３ａ…カウンターウェートバッファ。
【図１】
2012056708.tif 000003
【図２】
2012056708.tif 000004
【図３】
2012056708.tif 000005
【図４】
2012056708.tif 000006